(57)【要約】【課題】比較的高所の上向きに備え付けられる電球を簡便に脱着交換可能な器具を構成する。【解決手段】取手棒１を備え、取手棒１の上端側より側方に伸びるベースフレーム２を設け、取手棒１を正，逆に軸線回し可能にベースフレーム２で軸受け保持すると共に、ガラス球把持用のチャック具３を下方に向けて取手棒１の上端側より離間するベースフレーム２の下面側に回転可能に装着し、取手棒１の軸線回しと連動させてチャック具３を正，逆回転可能に組み付けた。【選択図】図１
2007052969.tif 000002
【特許請求の範囲】
【請求項１】
取手棒を備え、取手棒の上端側より側方に伸びるベースフレームを設け、取手棒を正，逆に軸線回し可能にベースフレームで軸受け保持すると共に、ガラス球把持用のチャック具を下方に向けて取手棒の上端側より離間するベースフレームの下面側に回転可能に装着し、取手棒の軸線回しと連動させてチャック具を正，逆回転可能に組み付けたことを特徴とする電球交換器具。
【請求項２】
ガラス球を上部側から押えるパッドを基部に備えるチャック具と、取手棒を着脱自在に嵌合せ保持するホルダーとをベースフレームの下面側に回転可能に装着し、ホルダーの回転と連動させてチャック具を正，逆回転可能に組み付けたことを特徴とする請求項１に記載の電球交換器具。
【請求項３】
ベースフレームの板面上に水平に軸受け保持した作動軸と、作動軸の軸線をギヤ中心に合せて縦ギヤを作動軸の両軸端に取付け固定すると共に、横ギヤをベースフレームの板面より回転可能に突出するギヤ中心の支軸でパッド，ホルダーの底部に取付け固定する二組のベベルギヤとから連動機構を組み立てたことを特徴とする請求項２に記載の電球交換器具。
【請求項４】
間隔を保ってガラス球の球回りにあてがう二本の立上りアーム部を横軸部の両端より折り曲げて設けた二つのチャックアームを備え、チャックアームの支持板を筒状パッドの底部外にあてがい固定し、各横軸部を支持板の両端に設けた止め環で抱えてチャックアームをパッドの両側に相対させて組み付けると共に、引合いバネをチャックアームの相対するアーム部相互に掛渡し装着したチャック具を備え付けたことを特徴とする請求項２または３に記載の電球交換器具。
【発明の詳細な説明】
【技術分野】
【０００１】
本発明は、比較的高所の上向きに備え付けられる電球の交換器具に関するものである。
【背景技術】
【０００２】
一般に、電球交換器具としては下向きに備え付けられる電球を脱着交換するもの（特許文献１）、斜め下向き或いは横向きに備え付けられる電球を脱着交換するもの（特許文献２）が知られている。
【０００３】
その下向き、斜め下向きまたは横向きに備え付けられる電球の他に、ホテルや結婚式場等においては略ろうそく形の電球を比較的高所の上向きに備え付けることが行われている。この上向きに備え付けられる電球を脱着交換するに、既知の電球交換器具では対応できない。
【特許文献１】特開２００３−２７２５６８
【特許文献２】実開昭６４−１９２５４
【発明の開示】
【発明が解決しようとする課題】
【０００４】
本発明の主たる課題は、比較的高所の上向きに備え付けられる電球を簡便に脱着交換可能な器具を構成するところにある。
【０００５】
本発明の別なる課題は、比較的高所の上向きに備え付けられる電球を脱着交換可能な器具を簡単な構造で構成するところにある。
【０００６】
本発明の更なる別の課題は、比較的高所の上向きに備え付けられる電球を確実に把持させて脱着交換可能な器具を構成するところにある。
【課題を解決するための手段】
【０００７】
本願の請求項１に係る電球交換器具は、取手棒を備え、取手棒の上端側より側方に伸びるベースフレームを設け、取手棒を正，逆に軸線回し可能にベースフレームで軸受け保持すると共に、ガラス球把持用のチャック具を下方に向けて取手棒の上端側より離間するベースフレームの下面側に回転可能に装着し、取手棒の軸線回しと連動させてチャック具を正，逆回転可能に組み付けたことを特徴とする。
【０００８】
本願の請求項２に係る電球交換器具は、ガラス球を上部側から押えるパッドを基部に備えるチャック具と、取手棒を着脱自在に嵌合せ保持するホルダーとをベースフレームの下面側に回転可能に装着し、ホルダーの回転と連動させてチャック具を正，逆回転可能に組み付けたことを特徴とする。
【０００９】
本願の請求項３に係る電球交換器具は、ベースフレームの板面上に水平に軸受け保持した作動軸と、作動軸の軸線をギヤ中心に合せて縦ギヤを作動軸の両軸端に取付け固定すると共に、横ギヤをベースフレームの板面より回転可能に突出するギヤ中心の支軸でパッド，ホルダーの底部に取付け固定する二組のベベルギヤとから連動機構を組み立てたことを特徴とする。
【００１０】
本願の請求項４に係る電球交換器具は、間隔を保ってガラス球の球回りにあてがう二本の立上りアーム部を横軸部の両端より折り曲げて設けた二つのチャックアームを備え、チャックアームの支持板を筒状パッドの底部外にあてがい固定し、各横軸部を支持板の両端に設けた止め環で抱えてチャックアームをパッドの両側に相対させて組み付けると共に、引合いバネをチャックアームの相対するアーム部相互に掛渡し装着したチャック具を備え付けたことを特徴とする。
【発明の効果】
【００１１】
本願の請求項１に係る電球交換器具によれば、取手棒の軸線回しと連動させることから、ベースフレームの下面側より下方に向くガラス球把持用のチャック具を正，逆回転できるため、比較的高所の上向きに備え付けられる電球を簡便に脱着交換可能な器具として構成できる。
【００１２】
本願の請求項２に係る電球交換器具によれば、ガラス球を上部側から押えるパッドを基部に備えるチャック具と、取手棒を着脱自在に嵌合せ保持するホルダーをベースフレームの下面側に回転可能に装着し、ホルダーの回転と連動させてチャック具を正，逆回転可能に組み付けることから、電球全体をパッドで安定よく支持させてガラス球をチャック具で把持でき、また、下向き，斜め下向きまたは横向き備付け型の電球を把持するような他種のチャック具と取手棒を交換使用可能に構成できる。
【００１３】
本願の請求項３に係る電球交換器具によれば、ベースフレームの板面上に水平に軸受け保持した作動軸と、作動軸の軸線をギヤ中心に合せて縦ギヤを作動軸の両軸端に取付け固定すると共に、横ギヤをベースフレームの板面より回転可能に突出するギヤ中心の支軸でパッド，ホルダーの底部に取付け固定する二組のベベルギヤとから連動機構を組み立てるため、簡単な構造の連動機構を組み付けられる。
【００１４】
本願の請求項４に係る電球交換器具によれば、間隔を保ってガラス球の球回りにあてがう二本の立上りアーム部を横軸部の両端に設けた二つのチャックアームを備え、チャックアームをパッドの両側に相対させて組み付けると共に、引合いバネをチャックアームの相対するアーム部相互に掛渡し装着するため、チャックアームが引合いバネによる均等のバネ力で離間乃至は近接変位し、ガラス球を二つのチャックアームで確実に把持させて脱着交換可能なチャック具を組み付けられる。
【発明を実施するための最良の形態】
【００１５】
図示の電球交換器具は、図１で示すようにガラス球ｌ１と口金ｌ２とからなり、比較的高所の上向きに備え付けられる電球Ｌを着脱交換するものとして構成されている。
【００１６】
その電球交換器具は、取手棒１と、ベースフレーム２と、ガラス球ｌ１を上部側より押える有底筒状のパッド３ａを基部に有するガラス球把持用のチャック具３と、取手棒１を上端側で嵌合せ保持する有底筒状のホルダー４と、取手棒１の軸線回しと連動させてチャック具３を正，逆回転する連動機構５を備えて組み立てられている。
【００１７】
取手棒１は丸パイプ部材でなり、一本の長尺棒または伸縮可能な複数本の繋ぎ棒として備え付けられる。この取手棒１は、プランジャ状のボールキー６を側面に備えてホルダー４の開孔と脱着することから、上端側がホルダー４で着脱自在に嵌合せ保持されている。取手棒１の上端側には、両端側が閉鎖された角筒状のベースフレーム２が側方に伸びるよう取り付けられている。
【００１８】
チャック具３は、電球Ｌのガラス球ｌ１を把持可能なゆとり分だけ取手棒１の上端側より離間させてパッド３ａの開口向きを下方に向けるようベースフレーム２の下面側に装着されている。
【００１９】
パッド３ａは、プラスチック製のパッド本体３０と、パッド本体３０の開口回りに接着固定した滑止め用のゴムリング３１とから形成されている。このパッド３ａは、支持盤７ａを筒内底に遊嵌すると共に、支軸ピン７ｂをベースフレーム２の上面側より支持盤７ａの中心まで圧入させて固定する支持盤７ａでベースフレーム２の下面側に回転可能に取り付けられている。
【００２０】
ホルダー４は、開口向きを下方に向けてベースフレーム２の下面側に装着されている。このホルダー４もチャック具３のパッド３ａと同様に、支持盤８ａを筒内底に遊嵌すると共に、支軸ピン８ｂをベースフレーム２の上面側より支持盤８ａの中心まで圧入させて固定する支持盤８ａで回転可能に取り付けられている。
【００２１】
連動機構５としては、作動軸５ａと二組のベベルギヤ５ｂ，５ｃとで組み立てたものがベースフレーム２の内部に組み付けられている。作動軸５ａは、ベースフレーム２の外側より螺入するビス９ａ，９ｂで止着した二つの立上り板１０ａ，１０ｂで軸受けすることからベースフレーム２の底内上で水平に回転可能に保持されている。
【００２２】
ベベルギヤ５ｂ，５ｃのうち、縦ギヤ５０，５１は作動軸５ａの軸線をギヤ中心に合せて作動軸５ａの両軸端に取付け固定されている。横ギヤ５２，５３は、ギヤ本体５２ａ，５３ａとベースフレーム２の底板面より回転可能に突出するギヤ中心の支軸５２ｂ，５３ｂとからなり、パッド３ａ，ホルダー４の底部に支軸５２ｂ，５３ｂで取付け固定されている。なお、支軸ピン７ｂ，８ｂは横ギヤ５２，５３の中心に遊嵌挿通することから横ギヤ５２，５３の回転支軸も兼ねている。
【００２３】
このように構成する電球交換器具では、旧電球の交換にあたっては作業者が取手棒１を手で持って下方に向くチャック具３を電球Ｌの上部側まで持ち運び、チャック具３が電球Ｌのガラス球ｌ１を把持すると共に、パッド３ａが電球全体をガラス球の上部側より押えるまで取手棒１を引き下げる。
【００２４】
チャック具３が電球Ｌのガラス球ｌ１を把持したならば、作業員が取手棒１を反時計方向に軸線回しすると、ホルダー４と一体の横ギヤ５２より横ギヤ５２と噛合する縦ギヤ５０が回転すると共に、作動軸５ａを介して縦ギヤ５１より縦ギヤ５１と噛合する横ギヤ５３が回転し、横ギヤ５３と一体のチャック具３が回転することから、上向きの電球Ｌをソケット部（図示せず）より取り外せる。
【００２５】
その作業中、電球全体はチャック具３による把持と共に、パッド３ａによるガラス球ｌ１の押えとから安定よく支持することによりチャック具３をもって取り外せる。また、作動軸５ａと二組のベベルギヤ５ｂ，５ｃという簡単な構造の連動機構５により、チャック具３を円滑に回転させられる。電球Ｌをチャック具３で把持させて取り外したならば、作業員が取手棒１を持ち下げて電球Ｌを手元まで運んでチャック具３より取り外せばよい。
【００２６】
上述したとは逆に、新電球を取り付けるにあたっては、作業員が電球をチャック具３で把持させて取付け場所まで取手棒１で持ち運び、取手棒１を時計方向に軸線回しすることから高所でも備え付けられる。電球を口金でソケット部に螺着後は、作業員が取手棒１を上方に持ち上げることから電球をチャック具３より外せる。
【００２７】
上述した実施の形態は、取手棒１をホルダー４で着脱自在に備えるもので説明したが、ホルダーに代わるキャップを取手棒１の先端側に被着固定し、横ギヤ５２をキャップと一体に取付け固定することから取手棒１をベースフレーム２に直付けするよう構成することもできる。また、作動軸，二組のベベルギヤに代え、二つのプーリと無端ベルト、二つの平歯車と無端チェーンによる連動機構を備えるようにできる。
【００２８】
チャック具３としては、電球全体を上部側からガラス球ｌ１で支持するパッド３ａを基部に備え、金属線材を折り曲げて形成した二つのチャックアーム３ｂ，３ｃと、コイルバネでなる二本の引合いバネ３ｄ，３ｅとから組み立てたものが備え付けられている。
【００２９】
チャックアーム３ｂ，３ｃとしては、図２で示すように間隔を保ってガラス球の球回りにあてがう二本の立上りアーム部３２ａ，３２ｂ、３３ａ，３３ｂを横軸部３２ｃ，３３ｃの両端より折り曲げて設けたものが備え付けられている。各立上りアーム部３２ａ，３２ｂ、３３ａ，３３ｂは、先端側をガラス球の球面に沿うよう湾曲させて形成されている。各先端側には、ローレット面を有するゴムチューブ３２ｄ，３２ｅ、３３ｄ，３３ｅが滑止め用として被着されている。
【００３０】
二つのチャックアーム３ｂ，３ｃは、支持板３４をパッド３ａの底部外にあてがい固定すると共に、支持板３４の両端を折り曲げて設けた止め環３４ａ，３４ｂにより各横軸部３２ｃ，３３ｃを抱えることからパッド３ａの両側に相対させて組み付けられている。
【００３１】
そのチャックアーム３ｂ，３ｃは、パッド３ａの両側に相対させると共に、引合いバネ３ｄ，３ｅをアーム部相互３２ａ，３３ａ、３２ｂ，３３ｂの基部寄りに掛渡し装着することから、引合いバネ３ｄ，３ｅによる均等のバネ力で離間乃至は近接変位可能にバネ引張されている。引合いバネ３ｄ，３ｅは、パッド３ａの相対する両側部に設けた切欠凹部（符号なし）で位置決め支持されている。
【００３２】
このように構成するチャック具では、パッド３ａの両側で相対する二つのチャックアーム３ｂ，３ｃを備え、そのチャックアーム３ｂ，３ｃを引合いバネ３ｄ，３ｅによる均等のバネ力で離間乃至は近接変位可能にバネ引張するため、ガラス球の受入れ乃至は外出しの際に、チャックアーム３ｂ，３ｃが均等に離間乃至は近接変位することから、ガラス球を二つのチャックアーム３ｄ，３ｅで確実に把持させて安定よく脱着交換するようにできる。
【００３３】
上述したチャックアーム３ｂ，３ｃとしては、二本の立上りアーム部３２ａ，３２ｂ、３３ａ，３３ｂを横軸部３２ｃ，３３ｃの両端より折り曲げて設けたものを備え付けたが、図３，図４で示すように支持板３４の止め環３４ａ，３４ｂで抱える横軸部３２ｃ’、３３ｃ’を軸端とし、立上りアーム部３２ａ’，３２ｂ’、３３ａ’，３３ｂ’を橋絡軸部３２ｄ’、３３ｄ’で連続する二つ折りの軸線曲げで形成したチャックアーム３ｂ’，３ｃ’を備えるようにできる。
【００３４】
二つ折りの立上りアーム部３２ａ’，３２ｂ’、３３ａ’，３３ｂ’では、扁平なＵ字状の折曲げ幅を先端側に持たせられるため、ガラス球との接触面積を大きく保てる。また、引合いバネ３ｄ，３ｅを橋絡軸部３２ｄ’、３３ｄ’の折曲げ基部に掛け止めることから、パッド３ａの側部回りに沿わせて位置決め装着できる。
【図面の簡単な説明】
【００３５】
【図１】本発明に係る電球交換器具をベースフレームの部分開被で示す正面図である。
【図２】図１の電球交換器具に備えられるチャック具を下方から見て示す平面図である。
【図３】図１の電球交換器具に備えられるチャック具の別例を示す側面図である。
【図４】図３のチャック具を下方から見て示す平面図である。
【符号の説明】
【００３６】
Ｌ            電球
ｌ１            ガラス球
１            取手棒
２            ベースフレーム
３            チャック具
３ａ          パッド
３ｂ，３ｃ    チャックアーム
３２ａ，３２ｂ、３３ａ，３３ｂ
立上りアーム部
３２ｃ，３３ｃ  横軸部
３４          支持板
３４ａ，３４ｂ  止め環
３ｄ，３ｅ    引合いバネ
４            ホルダー
５            連動機構
５ａ          作動軸
５ｂ，５ｃ    ベベルギヤ
５０，５１    縦ギヤ
５２，５３    横ギヤ
【図１】
2007052969.tif 000003
【図２】
2007052969.tif 000004
【図３】
2007052969.tif 000005
【図４】
2007052969.tif 000006